(57)【要約】【課題】原稿圧着板の開閉に伴う異音発生の防止、および原稿圧着板を閉じる際におけるヒンジ部材の浮き上がり防止を図る。【解決手段】原稿圧着板２に取付けられて筒状支持脚５を有するヒンジ部材３は、筒状支持脚５の内部に突起部材７をこれの先端部７１ａが開口部６に出没するよう組み込むとともに、突起部材７の先端部７１ａが開口部６から突出するよう突起部材７を常に押圧付勢する突起部材付勢用のばね部材８を組み込んでいる。かくして突起部材７の開口部６から突出した先端部７１ａを支持穴４の内壁面４ａに当接させることによりヒンジ部材３の筒状支持脚５を支持穴４内に対しがたつきなく保持固定することができる。【選択図】図１
0003121111.tif 000002
【実用新案登録請求の範囲】
【請求項１】
装置本体に対し原稿圧着板がヒンジ部材を介して開閉回動可能に取付けられ、前記ヒンジ部材は、前記原稿圧着板の回動基端側に取付けられるとともに、前記装置本体の上面に設けた支持穴に挿入される筒状支持脚を備えている原稿圧着板の開閉装置において、
前記筒状支持脚の周側壁に開口部を設け、前記筒状支持脚の内部に突起部材をこれの先端部が前記開口部に出没するよう組み込むとともに、前記突起部材の先端部が前記開口部から突出するよう前記突起部材を常に押圧付勢する突起部材付勢用のばね部材を組み込み、前記開口部から突出した前記突起部材の先端部を前記支持穴の内壁面に当接させていることを特徴とする、原稿圧着板の開閉装置。
【請求項２】
前記ヒンジ部材は、前記筒状支持脚の頭部側にヒンジピン回りに回転可能に枢支連結されたカム部材と、前記筒状支持脚内の前記突起部材及びばね部材の上方に摺動自在に収納され、前記カム部材のカム面に摺接する摺動突起を先端に設けたスライダーと、該スライダーを前記カム部材に向けて常に押付け付勢するスライダー付勢用のばね部材とを備えており、前記カム部材、スライダー及びスライダー付勢用のばね部材によって前記原稿圧着板の閉じる方向のトルクに反発するトルクを生じさせてそのバランスにて前記原稿圧着板が任意の開き角度位置に停止保持するようにしてある、請求項１記載の原稿圧着板の開閉装置。
【考案の詳細な説明】
【技術分野】
【０００１】
本考案は、複写機やプリンター、スキャナー等の原稿圧着板の開閉装置に関する。
【背景技術】
【０００２】
従来、この種の原稿圧着板の開閉装置として、たとえば、図７に示すように、画像読み取り装置本体（以下、装置本体という）２０に原稿圧着板２１をヒンジ部材２２を介して開閉回動可能に取付けたものがある（例えば、特許文献１参照。）。
【０００３】
上記ヒンジ部材２２は、原稿圧着板２１の回動基端側に取付けられ、かつ装置本体２０の上面に設けた支持穴２３に挿入される支持脚２４を備えている。図７（ａ）に示すように、原稿圧着板２１に取付けられたヒンジ部材２２は、支持脚２４が装置本体２０側の支持穴２３に挿入されることによって装置本体２０上に定置される。
【０００４】
【特許文献１】特開２００５−２６０７６１号公報（図４）
【考案の開示】
【考案が解決しようとする課題】
【０００５】
しかしながら、上記原稿圧着板の開閉装置では、ヒンジ部材２２の支持脚２４を装置本体２０側の支持穴２３に挿入し易くするために支持脚２４と支持穴２３の内周との間にクリアランスＣを設けているが、原稿圧着板２１を開閉するに伴い、図７（ｂ）に示すように、支持脚２４が支持穴２３の内面に接触する位置まで動くことによって接触音、異音を発生する。また、原稿圧着板２１を閉じて装置本体２０上に載せた原稿を押圧する際、その押圧による反力で支持脚２４が支持穴２３から浮き上がり、原稿圧着板２１で原稿を均一に押圧できなくなり、原稿読み取りに不具合が発生することがあった。
【０００６】
本考案は、このような問題を解決する為になされたものであり、その目的とするところは、上記のようなヒンジ部材を備えた原稿圧着の開閉装置において、ヒンジ部材の支持脚を装置本体側の支持穴に対しがたつきなく保持固定できるようにすることにより原稿圧着板の開閉に伴う異音発生の防止、および原稿圧着板を閉じる際におけるヒンジ部材の浮き上がり防止を図れる原稿圧着板の開閉装置を提供することにある。
【課題を解決するための手段】
【０００７】
上記目的を達成するために、本考案の原稿圧着板の開閉装置は、請求項１に記載するように、装置本体に対し原稿圧着板がヒンジ部材を介して開閉回動可能に取付けられ、前記ヒンジ部材は、前記原稿圧着板の回動基端側に取付けられるとともに、前記装置本体の上面に設けた支持穴に挿入される筒状支持脚を備えている原稿圧着板の開閉装置において、前記筒状支持脚の周側壁に開口部を設け、前記筒状支持脚の内部に突起部材をこれの先端部が前記開口部に出没するよう組み込むとともに、前記突起部材の先端部が前記開口部から突出するよう前記突起部材を常に押圧付勢する突起部材付勢用のばね部材を組み込み、前記開口部から突出した前記突起部材の先端部を前記支持穴の内壁面に当接させていることに特徴を有するものである。
このように筒状支持脚内に突起部材を開口部に対し出没自在にかつ常に該突起部材を突起部材付勢用のばね部材で突出付勢して該突起部材の先端部を支持穴の内壁面に当接させると、その当接作用による反力で筒状支持脚が支持穴の前記内壁面と対向する内壁面に寄せ付けられ、支持穴内で動くことのないように固定される。筒状支持脚を支持穴内に挿入するときは突起部材の先端部を突起部材付勢用のばね部材の付勢力に抗して開口部内に没入させることで容易に挿入することができる。
【０００８】
請求項１記載の原稿圧着板の開閉装置は、請求項２記載のように、前記ヒンジ部材は、前記筒状支持脚の頭部側にヒンジピン回りに回転可能に枢支連結されたカム部材と、前記筒状支持脚内の前記突起部材及びばね部材の上方に摺動自在に収納され、前記カム部材のカム面に摺接する摺動突起を先端に設けたスライダーと、該スライダーを前記カム部材に向けて常に押付け付勢するスライダー付勢用のばね部材とを備え、前記カム部材、スライダー及びスライダー付勢用のばね部材によって前記原稿圧着板の閉じる方向のトルクに反発するトルクを生じさせてそのバランスにて前記原稿圧着板が任意の開き角度位置に停止保持するように構成することができる。
【考案の効果】
【０００９】
本考案によれば、ヒンジ部材の筒状支持脚は突起部材及び突起部材付勢用のばね部材によって支持穴内にがたつきなく保持固定されるので、原稿圧着板の開閉に伴い筒状支持脚と支持穴間で異音が発生するのを防止でき、また原稿圧着板を閉じる際にヒンジ部材、原稿圧着板が浮き上がるのを防止できて原稿の読み取りを確実にすることができる。
【考案を実施するための最良の形態】
【００１０】
本考案の好適な実施形態を図面に基づき説明する。図１〜図５は本考案の一実施例を示しており、図１は原稿圧着板を中間位置の開き角度で停止させた状態で示す原稿圧着板の開閉装置の断面図、図２は原稿圧着板にヒンジ部材を取付けた状態の断面図、図３はヒンジ部材の分解斜視図、図４はヒンジ部材の筒状支持脚、突起部材、ばね部材及びばね受け板を図３とは異なる方向から見て示す斜視図、図５はヒンジ部材の組立て後の斜視図である。
【００１１】
図１において、本考案の原稿圧着板の開閉装置は複写機など装置本体１の原稿載置面に対し原稿圧着板２をヒンジ部材３を介して開閉回動可能に取付ける。
【００１２】
図１、図２に示すように、ヒンジ部材３は、原稿圧着板２の回動基端側に取付けられるとともに、装置本体１に設けた支持穴４に挿入される筒状支持脚５を備えている。支持穴４は、筒状支持脚５の外径より少し大きい内径を有する断面四角形状に形成して筒状支持脚５を挿入し易くしている。
図３、図４に示すように、筒状支持脚５は上方開放状の有底角筒状に形成するとともに、下端部を先細状とするテーパｔをつけて支持穴４に挿入し易い形状に形成している。また筒状支持脚５はこれの外周上端寄り箇所に鍔５ａを張り出し形成するとともに、一側の周側壁５ｂの下部に１個もしくは２個以上（図示例では２個）の開口部６を設けている。そして、図１、図２に示すように、筒状支持脚５の内部には、開口部６に対応する突起７１およびこの突起７１の基部に一体形成したばね受け部７２を有する突起部材７が突起７１の先端部７１ａを開口部６に出没するよう内底面５ｃ上に摺動自在に組み込まれる。また、筒状支持脚５の内部には突起部材７の先端部７１ａが開口部５から突出するよう突起部材７を常に押圧付勢する圧縮コイルばね、ねじりコイルばね、板ばね、合成樹脂製ばね等による突起部材付勢用のばね部材８が組み込まれる。
【００１３】
図１、図２に示すように、ヒンジ部材３は、例えば、原稿圧着板２の回動基端側に取付ビス等で取付けられ、且つ筒状支持脚５の開放上端部に設けた一対の軸受５ｄ，５ｄ間にヒンジピン９回りに回転可能に枢支連結されるカム部材１０と、筒状支持脚５内の突起部材７及びばね部材８より上方に上下方向に摺動自在に収納され、カム部材１０のカム面に摺接する摺動突起１１ａを先端に設けたスライダー（カムフォロア）１１と、該スライダー１１をカム部材１０に向けて常に押付け付勢するスライダー付勢用のばね部材１２とを備えてなり、これらカム部材１０、スライダー１１及びばね部材１２によって原稿圧着板２の閉じる方向のトルクに反発するトルクを生じさせてそのバランスにて原稿圧着板２が任意の開き角度位置に停止保持するようにしてある。なお、筒状支持脚５内の突起部材７及びばね部材８の上方には落し蓋タイプの脚付きばね受部材１３を落し込み、このばね受部材１３の上面でスライダー付勢用のばね部材１２の下端部を受け止めている。
【００１４】
図２に示すように原稿圧着板２の回動基端側にヒンジ部材３を取付けた後は、図１に示すように、筒状支持脚５が鍔５ａを装置本体１の支持穴４の開口上端面外周に当接させるまで挿入されることで原稿圧着板２が装置本体１に開閉回動可能に定置される。その際、筒状支持脚５は、突起部材７の先端部７１ａをばね部材８の付勢力に抗して開口部６内に押し込み没入させた状態で支持穴４内に容易に挿入することができる。挿入後は、突起部材７の先端部７１ａがばね部材８の付勢力により開口部６から突出して支持穴４の内壁面４ａに当接し、その当接作用による反力で筒状支持脚５は支持穴４の前記内壁面４ａと対向する内壁面４ｂに寄せ付けられ、支持穴４内で動くことのないように保持固定される。
【００１５】
上記のようにヒンジ部材３の筒状支持脚５が支持穴４内に突起部材７およびばね部材８を介して保持固定された原稿圧着板２の開閉装置は、原稿圧着板２の開閉に伴い筒状支持脚５と支持穴４間で異音が発生するのを防止でき、また原稿圧着板２を閉じる際にヒンジ部材３、原稿圧着板２が浮き上がるのを防止できて原稿の読み取りを確実なものにすることができる。
【００１６】
図６に示すように、支持穴４の内壁面４ａには、筒状支持脚５を支持穴４に挿入するときに開口部６から突出している突起部材７の先端部７１ａが摺接する凸部１４を設けておくことができる。これによれば、筒状支持脚５の挿入時、突起部材７の先端部７１ａが、一旦、凸部１４に摺接することでばね部材８の付勢力に抗して開口部６内に没入し、凸部１４を通過するや否やばね部材８の付勢力により開口部６から突出する。したがって、筒状支持脚５の挿入後、突起部材７の先端部７１ａが凸部１４に係合することで筒状支持脚５の抜け止めストッパーとして作用する。筒状支持脚５を人為的に支持穴４から抜き出す時は、凸部１４の無い場合に要する引抜き操作力よりも少し強い引抜き操作力を加えて先端部７１ａが凸部１４を乗り越えさせることで抜き出すことができる。
【００１７】
ヒンジ部材３としては、上記実施例のように、筒状支持脚５内にスライダー１１及びばね部材１２が組み込まれるものに限られず、その他に、図示省略するが、カム部材１０を筒状支持脚５の上端部に固定し、スライダー１１及びばね部材１２を原稿圧着板２側に取付けるもの、あるいは図７に示すような周知構造のヒンジ部材を採用することもできる。
【図面の簡単な説明】
【００１８】
【図１】本考案の一実施例を示しており、原稿圧着板を中間位置の開き角度で停止させた状態で示す原稿圧着板の開閉装置の断面図である。
【図２】原稿圧着板にヒンジ部材を取付けた状態の断面図である。
【図３】ヒンジ部材の分解斜視図である。
【図４】ヒンジ部材の筒状支持脚、突起部材、ばね部材及びばね受け板を図３とは異なる方向から見て示す斜視図である。
【図５】ヒンジ部材の組立て後の斜視図である。
【図６】他の実施例を図１に対応して示す原稿圧着板の開閉装置の断面図である。
【図７】従来例の原稿圧着板の開閉装置の断面図である。
【符号の説明】
【００１９】
１  装置本体
２  原稿圧着板
３  ヒンジ部材
４  支持穴
５  筒状支持脚
５ａ  周側壁
６  開口部
７  突起部材
７１ａ  先端部
８  突起部材付勢用のばね部材
９  ヒンジピン
１０  カム部材
１１  スライダー
１２  スライダー付勢用のばね部材
【図１】
0003121111.tif 000003
【図２】
0003121111.tif 000004
【図３】
0003121111.tif 000005
【図４】
0003121111.tif 000006
【図５】
0003121111.tif 000007
【図６】
0003121111.tif 000008
【図７】
0003121111.tif 000009